(57)【要約】【課題】外方部材のインボード側をナックルの顎部に係止し、内方部材のインボード側端部に装着される磁気エンコーダの着磁部と軸方向で対向する磁気センサをナックルの顎部の内径面に装着する車輪用軸受装置において、磁気エンコーダの着磁部と磁気センサとの間の軸方向隙間を小さく設定できるようにすることである。【解決手段】磁気エンコーダ８を、インボード側の内輪２の外径面端部に外嵌したスリンガ７の円環部７ａの軸受外側面に、着磁部としての磁性ゴム８ａを円環状に接着したものとし、この磁性ゴム８ａの内径側部分を、磁気センサ９ａと対向するようにナックル４の顎部４ａの内方へ突出させ、その外径側部分を、ナックル４の顎部４ａよりも軸受内方側へ段差状に後退させることにより、磁性ゴム８ａの顎部４ａとの干渉を防止して、磁性ゴム８ａと磁気センサ９ａとの間の軸方向隙間を小さく設定できるようにした。【選択図】図２
2007327550.tif 000002
【特許請求の範囲】
【請求項１】
複列の軌道面を内径側に有し、インボード側をナックルの顎部に係止されてナックルの内径側に固定される外方部材と、この外方部材の各軌道面と対向する複列の軌道面を外径側に有し、車輪側に取り付けられる内方部材と、これらの外方部材と内方部材の軌道面間に複列に配列された転動体とからなり、前記内方部材のインボード側の端部に、円周方向で複数の磁極に着磁された着磁部を有する磁気エンコーダを装着し、前記ナックルの顎部の内径面に、前記磁気エンコーダの回転に伴う磁束の変化を検出する磁気センサを、前記磁気エンコーダに軸方向で対向させて装着した車輪用軸受装置において、前記磁気エンコーダを、前記内方部材のインボード側の外径面端部に円環部を有する芯金を外嵌し、この芯金の円環部の軸受外側面に前記着磁部を円環状に設けたものとし、この円環状の着磁部の内径側部分を、前記磁気センサと対向するように前記ナックルの顎部の内方へ突出させ、前記着磁部の外径側部分を、前記ナックルの顎部よりも軸受内方側へ段差状に後退させたことを特徴とする車輪用軸受装置。
【発明の詳細な説明】
【技術分野】
【０００１】
本発明は、車輪の回転を検出する回転センサが装着された車輪用軸受装置に関する。
【背景技術】
【０００２】
車輪の回転を検出する回転センサが装着された車輪用軸受装置には、複列の軌道面を内径側に有し、インボード側をナックルの顎部に係止されてナックルの内径側に固定される外方部材と、この外方部材の各軌道面と対向する複列の軌道面を外径側に有し、車輪側に取り付けられる内方部材と、これらの外方部材と内方部材の軌道面間に複列に配列された転動体とからなり、内方部材のインボード側の端部に、円周方向で複数の磁極に着磁された着磁部を有する磁気エンコーダを装着し、ナックルの顎部の内径面に、磁気エンコーダの回転に伴う磁束の変化を検出する磁気センサを、磁気エンコーダに軸方向で対向させて装着するようにしたものがある（例えば、特許文献１参照）。
【０００３】
特許文献１に記載されたものでは、インボード側のシール部材のシールリップが摺接され、内方部材の外径面のインボード側端部に外嵌されたＬ字断面のスリンガを磁気エンコーダの芯金として利用し、このスリンガの円環部の軸受外側面に、磁気エンコーダの着磁部を円環状に設けている。
【０００４】
【特許文献１】特開２００６−１１８５５３号公報
【発明の開示】
【発明が解決しようとする課題】
【０００５】
特許文献１に記載されたように、外方部材のインボード側をナックルの顎部に係止し、内方部材のインボード側端部に装着される磁気エンコーダの着磁部と軸方向で対向する磁気センサをナックルの顎部の内径面に装着するようにした車輪用軸受装置では、磁気エンコーダの着磁部がナックルの顎部と干渉しないように、着磁部をナックルの顎部よりも軸受内方側へ後退させる必要がある。このため、軸方向で対向する磁気エンコーダの着磁部と磁気センサとの間の隙間が大きくなり、磁気エンコーダからの磁束の変化を検出する磁気センサの検出精度が低下する問題がある。
【０００６】
そこで、本発明の課題は、外方部材のインボード側をナックルの顎部に係止し、内方部材のインボード側端部に装着される磁気エンコーダの着磁部と軸方向で対向する磁気センサをナックルの顎部の内径面に装着する車輪用軸受装置において、磁気エンコーダの着磁部と磁気センサとの間の軸方向隙間を小さく設定できるようにすることである。
【課題を解決するための手段】
【０００７】
上記の課題を解決するために、本発明は、複列の軌道面を内径側に有し、インボード側をナックルの顎部に係止されてナックルの内径側に固定される外方部材と、この外方部材の各軌道面と対向する複列の軌道面を外径側に有し、車輪側に取り付けられる内方部材と、これらの外方部材と内方部材の軌道面間に複列に配列された転動体とからなり、前記内方部材のインボード側の端部に、円周方向で複数の磁極に着磁された着磁部を有する磁気エンコーダを装着し、前記ナックルの顎部の内径面に、前記磁気エンコーダの回転に伴う磁束の変化を検出する磁気センサを、前記磁気エンコーダに軸方向で対向させて装着した車輪用軸受装置において、前記磁気エンコーダを、前記内方部材のインボード側の外径面端部に円環部を有する芯金を外嵌し、この芯金の円環部の軸受外側面に前記着磁部を円環状に設けたものとし、この円環状の着磁部の内径側部分を、前記磁気センサと対向するように前記ナックルの顎部の内方へ突出させ、前記着磁部の外径側部分を、前記ナックルの顎部よりも軸受内方側へ段差状に後退させた構成を採用した。
【０００８】
すなわち、磁気エンコーダを、内方部材のインボード側の外径面端部に円環部を有する芯金を外嵌し、この芯金の円環部の軸受外側面に着磁部を円環状に設けたものとし、この円環状の着磁部の内径側部分を、磁気センサと対向するようにナックルの顎部の内方へ突出させ、着磁部の外径側部分を、ナックルの顎部よりも軸受内方側へ段差状に後退させることにより、磁気エンコーダの着磁部のナックルの顎部との干渉を防止して、磁気エンコーダの着磁部と磁気センサとの間の軸方向隙間を小さく設定できるようにした。
【発明の効果】
【０００９】
本発明の車輪用軸受装置は、磁気エンコーダを、内方部材のインボード側の外径面端部に円環部を有する芯金を外嵌し、この芯金の円環部の軸受外側面に着磁部を円環状に設けたものとし、この円環状の着磁部の内径側部分を、磁気センサと対向するようにナックルの顎部の内方へ突出させ、着磁部の外径側部分を、ナックルの顎部よりも軸受内方側へ段差状に後退させたので、磁気エンコーダの着磁部のナックルの顎部との干渉を防止して、磁気エンコーダの着磁部と磁気センサとの間の軸方向隙間を小さく設定することができ、磁気エンコーダからの磁束の変化を検出する磁気センサの検出精度を確保することができる。
【発明を実施するための最良の形態】
【００１０】
以下、図面に基づき、本発明の実施形態を説明する。この車輪用軸受装置は、図１に示すように、複列の軌道面１ａを内径側に有する外方部材としての外輪１と、外輪１の各軌道面１ａと対向する複列の軌道面２ａを外径側に有する内方部材としての一対の内輪２と、これらの外輪１と内輪２の間の軸受空間に複列に配列された転動体としてのボール３とからなり、外輪１がインボード側をナックル４の顎部４ａに係止されてナックル４の内径側に固定され、一対の内輪２が車輪取付けフランジ５ａを有するハブ輪５に外嵌されている。また、軸受空間のインボード側とアウトボード側は、それぞれシール部材６で密封されている。
【００１１】
図２に拡大して示すように、前記インボード側のシール部材６は、外輪１のインボード側の内径面端部に内嵌された芯金６ａと、複数のシールリップ６ｃを有する弾性部材６ｂとからなり、各シールリップ６ｃが、インボード側の内輪２の外径面端部に外嵌されたＬ字断面のスリンガ７に摺接されて、軸受空間が密封されるようになっている。拡大図示は省略するが、アウトボード側のシール部材６も同様の構成となっている。
【００１２】
前記インボード側の内輪２の外径面端部に外嵌されたスリンガ７は、磁気エンコーダ８の芯金として利用され、その円環部７ａの軸受外側面に、円周方向で複数の磁極に着磁された着磁部としての円環状の磁性ゴム８ａが接着されている。また、ナックル４の顎部４ａの内径面には、磁気エンコーダ８の磁性ゴム８ａと軸方向で対向する磁気センサ９ａを組み込んだセンサユニット９が装着されている。
【００１３】
前記円環状の磁性ゴム８ａの内径側部分は、対向する磁気センサ９ａとの軸方向隙間δを小さく設定できるように、ナックル４の顎部４ａの内方へ突出しており、磁性ゴム８ａの外径側部分は、ナックル４の顎部４ａと干渉しないように、軸受内方側へ段差状に後退している。したがって、磁気センサ９ａは、磁気エンコーダ８の着磁部としての磁性ゴム８ａからの磁束の変化を精度よく検出することができる。
【００１４】
上述した実施形態では、シール部材のシールリップが摺接するＬ字断面のスリンガを磁気エンコーダの芯金として利用したが、磁気エンコーダの芯金は、回転センサ専用として内方部材のインボード側の外径面端部に外嵌されるものとしてもよい。また、外方部材のインボード側を係止する顎部をナックルと一体に形成したが、この顎部は別体としてナックルの内径面に取り付けてもよい。
【図面の簡単な説明】
【００１５】
【図１】車輪用軸受装置の実施形態を示す縦断面図
【図２】図１の車輪用軸受装置のインボード側を拡大して示す断面図
【符号の説明】
【００１６】
１  外輪
２  内輪
１ａ、２ａ  軌道面
３  ボール
４  ナックル
４ａ  顎部
５  ハブ輪
５ａ  車輪取付けフランジ
６  シール部材
６ａ  芯金
６ｂ  弾性部材
６ｃ  シールリップ
７  スリンガ
７ａ  円環部
８  磁気エンコーダ
８ａ  磁性ゴム
９  センサユニット
９ａ  磁気センサ
【図１】
2007327550.tif 000003
【図２】
2007327550.tif 000004